(57)【要約】      （修正有）【課題】遅延分散に基づく信号品質の劣化を低減しつつ、無線リソースを効率良く利用可能な移動通信システム及びネットワーク装置を提供する。【解決手段】移動通信システムは、ＭＢＳＦＮ（ＭＢＭＳ  Ｓｉｎｇｌｅ  Ｆｒｅｑｕｅｎｃｙ  Ｎｅｔｗｏｒｋ）参照信号を送信する複数のセルによりＭＢＳＦＮエリアが構成される。周波数方向における前記ＭＢＳＦＮ参照信号の時間・周波数リソースの量であるＭＢＳＦＮ参照信号リソース量を設定するネットワーク装置を備える。ネットワーク装置は、前記複数のセルのそれぞれのカバレッジサイズに関するカバレッジ情報に基づいて、前記ＭＢＳＦＮ参照信号リソース量を設定する。【選択図】図８
2015159380.tif 000002
【特許請求の範囲】
【請求項１】
ＭＢＳＦＮ（ＭＢＭＳ  Ｓｉｎｇｌｅ  Ｆｒｅｑｕｅｎｃｙ  Ｎｅｔｗｏｒｋ）参照信号を送信する複数のセルによりＭＢＳＦＮエリアが構成される移動通信システムであって、
周波数方向における前記ＭＢＳＦＮ参照信号の時間・周波数リソースの量であるＭＢＳＦＮ参照信号リソース量を設定するネットワーク装置を備え、
前記ネットワーク装置は、前記複数のセルのそれぞれのカバレッジサイズに関するカバレッジ情報に基づいて、前記ＭＢＳＦＮ参照信号リソース量を設定することを特徴とする移動通信システム。
【請求項２】
前記ネットワーク装置は、前記カバレッジ情報が示すカバレッジサイズが閾値未満である場合に、前記カバレッジ情報が示すカバレッジサイズが前記閾値以上である場合に比べて、前記ＭＢＳＦＮ参照信号リソース量を少なく設定することを特徴とする請求項１に記載の移動通信システム。
【請求項３】
前記ネットワーク装置は、前記複数のセルのそれぞれのカバレッジサイズのうちの最大のカバレッジサイズが前記閾値未満である場合に、前記最大のカバレッジサイズが前記閾値以上である場合に比べて、前記ＭＢＳＦＮ参照信号リソース量を少なく設定することを特徴とする請求項２に記載の移動通信システム。
【請求項４】
前記カバレッジ情報は、前記複数のセルのそれぞれが属する周波数の高さを示す周波数情報を含み、
前記ネットワーク装置は、前記周波数情報が示す周波数の高さが閾値以上である場合に、前記周波数情報が示す周波数の高さが前記閾値未満である場合に比べて、前記ＭＢＳＦＮ参照信号リソース量を少なく設定することを特徴とする請求項１に記載の移動通信システム。
【請求項５】
前記複数のセルに含まれる所定セルを管理する基地局をさらに備え、
前記基地局は、前記所定セルの送信電力を示す情報を前記カバレッジ情報として前記ネットワーク装置に送信することを特徴とする請求項１に記載の移動通信システム。
【請求項６】
前記複数のセルに含まれる所定セルを管理する基地局をさらに備え、
前記基地局は、前記所定セルの運用を開始したことをトリガとして前記カバレッジ情報を前記ネットワーク装置に送信することを特徴とする請求項１に記載の移動通信システム。
【請求項７】
前記基地局は、前記ネットワーク装置からの要求に応じて、前記カバレッジ情報を前記ネットワーク装置に送信することを特徴とする請求項５に記載の移動通信システム。
【請求項８】
前記複数のセルのいずれかのセルに在圏するユーザ端末と、
前記ユーザ端末が在圏する前記セルを管理する基地局と、をさらに備え、
前記基地局は、前記ユーザ端末から前記カバレッジ情報を受信し、受信したカバレッジ情報を前記ネットワーク装置に送信することを特徴とする請求項１に記載の移動通信システム。
【請求項９】
前記基地局は、前記ネットワーク装置からの第１の要求の受信に応じて、前記ユーザ端末に、前記カバレッジ情報の送信要求を送信し、
前記ユーザ端末は、前記カバレッジ情報の送信要求の受信に応じて、前記カバレッジ情報を前記基地局に送信することを特徴とする請求項８に記載の移動通信システム。
【請求項１０】
前記基地局は、前記ネットワーク装置からの第２の要求の受信に応じて、前記ユーザ端末から受信した前記カバレッジ情報を前記ネットワーク装置に送信することを特徴とする請求項８に記載の移動通信システム。
【請求項１１】
前記ユーザ端末は、前記ユーザ端末の送信タイミングを調整するためのタイミング情報を取得しており、
前記ユーザ端末は、前記基地局に接続する際に取得した前記タイミング情報を、前記カバレッジ情報として前記基地局に送信することを特徴とする請求項８に記載の移動通信システム。
【請求項１２】
前記複数のセルのいずれかのセルを管理する基地局をさらに備え、
前記ネットワーク装置は、前記ＭＢＳＦＮ参照信号リソース量を変更する場合、前記基地局に対して、前記ＭＢＳＦＮ参照信号リソース量の変更に関する情報を通知することを特徴とする請求項１に記載の移動通信システム。
【請求項１３】
前記ネットワーク装置は、前記複数のそれぞれと重複するマクロセルを管理するマクロ基地局であることを特徴とする請求項１に記載の移動通信システム。
【請求項１４】
前記基地局が管理する前記セルに在圏するユーザ端末をさらに備え、
前記マクロ基地局は、前記ＭＢＳＦＮ参照信号リソース量の変更に関する情報を前記ユーザ端末にブロードキャストで通知することを特徴とする請求項１２に記載の移動通信システム。
【請求項１５】
ＭＢＳＦＮ（ＭＢＭＳ  Ｓｉｎｇｌｅ  Ｆｒｅｑｕｅｎｃｙ  Ｎｅｔｗｏｒｋ）参照信号を送信する複数のセルによりＭＢＳＦＮエリアが構成される移動通信システムにおいて用いられるネットワーク装置であって、
周波数方向における前記ＭＢＳＦＮ参照信号の時間・周波数リソースの量であるＭＢＳＦＮ参照信号リソース量を設定する制御部を備え、
前記制御部は、前記複数のセルのそれぞれのカバレッジサイズに関するカバレッジ情報に基づいて、前記ＭＢＳＦＮ参照信号リソース量を設定することを特徴とするネットワーク装置。
【発明の詳細な説明】
【技術分野】
【０００１】
本発明は、ＭＢＳＦＮを構成する複数の基地局を有する移動通信システム、及びネットワーク装置に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）を高度化したｅＭＢＭＳ（ｅｖｏｌｖｅｄ  ＭＢＭＳ）の標準化が進められている（例えば、非特許文献１参照）。
【０００３】
このような移動通信システムにおいて、ＭＢＳＦＮ（ＭＢＭＳ  Ｓｉｎｇｌｅ  Ｆｒｅｑｕｅｎｃｙ  Ｎｅｔｗｏｒｋ）を構成する複数の基地局（セル）は、同一信号を一斉同期送信することによって、マルチメディアデータを配信する。このようなＭＢＳＦＮ送信方式によって、ユーザ端末は、複数の基地局から送信された信号をＲＦ（Ｒａｄｉｏ  Ｆｒｅｑｕｅｎｃｙ）合成できる。
【先行技術文献】
【非特許文献】
【０００４】
【非特許文献１】３ＧＰＰ技術仕様 「ＴＳ  ３６．３００ ｖ１２．０．０」 （２０１４−１）
【発明の概要】
【０００５】
ＭＢＳＦＮでは、複数の基地局から同一信号が送信されるため、遅延分散に基づく信号品質の劣化が大きい。このため、複数の基地局のそれぞれが、通常の参照信号の送信よりも多くの無線リソースを用いてＭＢＳＦＮ参照信号を送信する。
【０００６】
しかしながら、ＭＢＳＦＮ参照信号の送信に多くの無線リソースが用いられるため、例えば、マルチメディアデータの配信に用いられる無線リソースが減少するという問題がある。
【０００７】
そこで、本発明は、遅延分散に基づく信号品質の劣化を低減しつつ、無線リソースを効率良く利用可能な移動通信システム及びネットワーク装置を提供する。
【課題を解決するための手段】
【０００８】
一実施形態に係る移動通信システムは、ＭＢＳＦＮ（ＭＢＭＳ  Ｓｉｎｇｌｅ  Ｆｒｅｑｕｅｎｃｙ  Ｎｅｔｗｏｒｋ）参照信号を送信する複数のセルによりＭＢＳＦＮエリアが構成される。当該移動通信システムは、周波数方向における前記ＭＢＳＦＮ参照信号の時間・周波数リソースの量であるＭＢＳＦＮ参照信号リソース量を設定するネットワーク装置を備える。前記ネットワーク装置は、前記複数のセルのそれぞれのカバレッジサイズに関するカバレッジ情報に基づいて、前記ＭＢＳＦＮ参照信号リソース量を設定する。
【発明の効果】
【０００９】
本発明に係る移動通信システム及びネットワーク装置によれば、遅延分散に基づく信号品質の劣化を低減しつつ、ＭＢＳＦＮ参照信号の送信に用いられる無線リソースを減少可能である。
【図面の簡単な説明】
【００１０】
【図１】図１は、実施形態に係るＬＴＥシステムの構成図である。
【図２】図２は、実施形態に係るＵＥのブロック図である。
【図３】図３は、実施形態に係るｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、実施形態に係るｅＭＢＭＳのアーキテクチャを説明するための説明図である。
【図７】図７は、実施形態に係る動作環境を示す図である。
【図８】図８は、実施形態に係る動作パターン１を説明するためのシーケンス図である。
【図９】図９は、実施形態に係るＭＢＳＦＮ参照信号リソース量を決定するためのフローチャートである。
【図１０】図１０は、ＭＢＳＦＮ参照信号の無線リソースの一例を説明するための説明図である。
【図１１】図１１は、実施形態に係る動作パターン２を説明するためのシーケンス図である。
【図１２】図１２は、実施形態に係る動作パターン３を説明するためのシーケンス図である。
【発明を実施するための形態】
【００１１】
［実施形態の概要］
実施形態に係る移動通信システムは、ＭＢＳＦＮ（ＭＢＭＳ  Ｓｉｎｇｌｅ  Ｆｒｅｑｕｅｎｃｙ  Ｎｅｔｗｏｒｋ）参照信号を送信する複数のセルによりＭＢＳＦＮエリアが構成される。当該移動通信システムは、周波数方向における前記ＭＢＳＦＮ参照信号の時間・周波数リソースの量であるＭＢＳＦＮ参照信号リソース量を設定するネットワーク装置を備える。前記ネットワーク装置は、前記複数のセルのそれぞれのカバレッジサイズに関するカバレッジ情報に基づいて、前記ＭＢＳＦＮ参照信号リソース量を設定する。
【００１２】
実施形態では、前記ネットワーク装置は、前記カバレッジ情報が示すカバレッジサイズが閾値未満である場合に、前記カバレッジ情報が示すカバレッジサイズが前記閾値以上である場合に比べて、前記ＭＢＳＦＮ参照信号リソース量を少なく設定する。
【００１３】
実施形態では、前記ネットワーク装置は、前記複数のセルのそれぞれのカバレッジサイズのうちの最大のカバレッジサイズが前記閾値未満である場合に、前記最大のカバレッジサイズが前記閾値以上である場合に比べて、前記ＭＢＳＦＮ参照信号リソース量を少なく設定する。
【００１４】
実施形態では、前記カバレッジ情報は、前記複数のセルのそれぞれが属する周波数の高さを示す周波数情報を含み、前記ネットワーク装置は、前記周波数情報が示す周波数の高さが閾値以上である場合に、前記周波数情報が示す周波数の高さが前記閾値未満である場合に比べて、前記ＭＢＳＦＮ参照信号リソース量を少なく設定する。
【００１５】
実施形態に係る移動通信システムは、前記複数のセルに含まれる所定セルを管理する基地局をさらに備える。前記基地局は、前記所定セルの送信電力を示す情報を前記カバレッジ情報として前記ネットワーク装置に送信する。
【００１６】
実施形態に係る移動通信システムは、前記複数のセルに含まれる所定セルを管理する基地局をさらに備える。前記基地局は、前記所定セルの運用を開始したことをトリガとして前記カバレッジ情報を前記ネットワーク装置に送信する。
【００１７】
実施形態では、前記基地局は、前記ネットワーク装置からの要求に応じて、前記カバレッジ情報を前記ネットワーク装置に送信する。
【００１８】
実施形態に係る移動通信システムは、前記複数のセルのいずれかのセルに在圏するユーザ端末と、前記ユーザ端末が在圏する前記セルを管理する基地局と、をさらに備える。前記基地局は、前記ユーザ端末から前記カバレッジ情報を受信し、受信したカバレッジ情報を前記ネットワーク装置に送信する。
【００１９】
実施形態では、前記基地局は、前記ネットワーク装置からの第１の要求の受信に応じて、前記ユーザ端末に、前記カバレッジ情報の送信要求を送信する。前記ユーザ端末は、前記カバレッジ情報の送信要求の受信に応じて、前記カバレッジ情報を前記基地局に送信する。
【００２０】
実施形態では、前記基地局は、前記ネットワーク装置からの第２の要求の受信に応じて、前記ユーザ端末から受信した前記カバレッジ情報を前記ネットワーク装置に送信する。
【００２１】
実施形態では、前記ユーザ端末は、前記ユーザ端末の送信タイミングを調整するためのタイミング情報を取得しており、前記ユーザ端末は、前記基地局に接続する際に取得した前記タイミング情報を、前記カバレッジ情報として前記基地局に送信する。
【００２２】
実施形態に係る移動通信システムは、前記複数のセルのいずれかのセルを管理する基地局をさらに備える。前記ネットワーク装置は、前記ＭＢＳＦＮ参照信号リソース量を変更する場合、前記基地局に対して、前記ＭＢＳＦＮ参照信号リソース量の変更に関する情報を通知する。
【００２３】
実施形態では、前記ネットワーク装置は、前記複数のそれぞれと重複するマクロセルを管理するマクロ基地局である。
【００２４】
実施形態に係る移動通信システムは、前記基地局が管理する前記セルに在圏するユーザ端末をさらに備える。前記マクロ基地局は、前記ＭＢＳＦＮ参照信号リソース量の変更に関する情報を前記ユーザ端末にブロードキャストで通知する。
【００２５】
実施形態に係るネットワーク装置は、ＭＢＳＦＮ（ＭＢＭＳ  Ｓｉｎｇｌｅ  Ｆｒｅｑｕｅｎｃｙ  Ｎｅｔｗｏｒｋ）参照信号を送信する複数のセルによりＭＢＳＦＮエリアが構成される移動通信システムにおいて用いられる。当該ネットワーク装置は、周波数方向における前記ＭＢＳＦＮ参照信号の時間・周波数リソースの量であるＭＢＳＦＮ参照信号リソース量を設定する制御部を備える。前記制御部は、前記複数のセルのそれぞれのカバレッジサイズに関するカバレッジ情報に基づいて、前記ＭＢＳＦＮ参照信号リソース量を設定する。
【００２６】
［実施形態］
以下、図面を参照して、３ＧＰＰ規格に準拠して構成される移動通信システムの一つであるＬＴＥ（Ｌｏｎｇ  Ｔｅｒｍ  Ｅｖｏｌｕｔｉｏｎ）システムに本発明を適用する場合の実施形態を説明する。
【００２７】
（ＬＴＥシステム）
図１は、第１実施形態に係るＬＴＥシステムの構成図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０は無線アクセスネットワークに相当し、ＥＰＣ２０はコアネットワークに相当する。Ｅ−ＵＴＲＡＮ１０及びＥＰＣ２０は、ＬＴＥシステムのネットワークを構成する。
【００２８】
ＵＥ１００は、移動型の通信装置であり、接続先のセル（サービングセル）との無線通信を行う。ＵＥ１００はユーザ端末に相当する。
【００２９】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルとの接続を確立したＵＥ１００との無線通信を行う。なお、「セル」は、無線通信エリアの最小単位を示す用語として使用される他に、ＵＥ１００との無線通信を行う機能を示す用語としても使用される。
【００３０】
ｅＮＢ２００は、例えば、無線リソース管理（ＲＲＭ）機能と、ユーザデータのルーティング機能と、モビリティ制御及びスケジューリングのための測定制御機能と、を有する。
【００３１】
ＥＰＣ２０は、複数のＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。ＭＭＥ／Ｓ−ＧＷ３００により構成されるＥＰＣ２０は、ｅＮＢ２００を収容する。
【００３２】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３３】
次に、ＵＥ１００及びｅＮＢ２００の構成を説明する。
【００３４】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３５】
アンテナ１０１及び無線送受信機１１０は、無線信号の送受信に用いられる。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３６】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受けｂ付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３７】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３８】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００３９】
アンテナ２０１及び無線送受信機２１０は、無線信号の送受信に用いられる。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４０】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４１】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４２】
図４は、ＬＴＥシステムにおける無線インターフェイスのプロトコルスタック図である。図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００４３】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００４４】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式（ＭＣＳ））、及び割当リソースブロックを決定するスケジューラを含む。
【００４５】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００４６】
ＰＤＣＰレイヤは、ヘッダ圧縮・伸張、及び暗号化・復号化を行う。
【００４７】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００４８】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００４９】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５０】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。リソースブロックは、周波数方向に複数個のサブキャリアを含む。ＵＥ１００に割り当てられる無線リソースのうち、周波数リソースはリソースブロックにより特定でき、時間リソースはサブフレーム（又はスロット）により特定できる。
【００５１】
下りリンクにおいて、各サブフレームの先頭数シンボルの区間は、主に制御信号を伝送するための物理下りリンク制御チャネル（ＰＤＣＣＨ）として使用される制御領域である。また、各サブフレームの残りの区間は、主にユーザデータを伝送するための物理下りリンク共有チャネル（ＰＤＳＣＨ）として使用できる領域である。
【００５２】
上りリンクにおいて、各サブフレームにおける周波数方向の両端部は、主に制御信号を伝送するための物理上りリンク制御チャネル（ＰＵＣＣＨ）として使用される制御領域である。また、各サブフレームにおける周波数方向の中央部は、主にユーザデータを伝送するための物理上りリンク共有チャネル（ＰＵＳＣＨ）として使用できる領域である。
【００５３】
（ＭＢＭＳ）
ＭＢＭＳは、マルチキャスト配信を実現するベアラサービスである。ネットワークは、ＭＢＭＳサービスの受信を望む複数のＵＥに対して、共通のベアラで一斉にＭＢＭＳサービスを配信することにより、ネットワーク効率及び周波数利用効率を向上できる。また、ＭＢＳＦＮ（ＭＢＭＳ  Ｓｉｎｇｌｅ  Ｆｒｅｑｕｅｎｃｙ  Ｎｅｔｗｏｒｋ）エリアを構成する複数のｅＮＢ２００（セル）は、同一信号を一斉に送信することにより、ＵＥ１００は、各ｅＮＢ２００から送信された信号をＲＦ合成できる。
【００５４】
ＭＢＭＳ用の論理チャネルとしては、ＭＴＣＨ（Ｍｕｌｔｉｃａｓｔ  Ｔｒａｆｆｉｃ  Ｃｈａｎｎｅｌ）と、ＭＣＣＨ（Ｍｕｌｔｉｃａｓｔ  Ｃｏｎｔｒｏｌ  Ｃｈａｎｎｅｌ）と、が規定されている。また、ＭＢＭＳ用のトランスポートチャネルとしては、ＭＣＨ（Ｍｕｌｔｉｃａｓｔ  Ｃｈａｎｎｅｌ）が規定されている。ｅＮＢ２００は、マルチキャストチャネル（ＭＴＣＨ及びＭＣＣＨ）を介して、ＭＢＭＳサービスと、ＭＢＭＳサービス配信を制御するためのＭＢＭＳ制御情報と、を配信する。
【００５５】
図６は、本実施形態に係るｅＭＢＭＳのアーキテクチャを説明するための説明図である。図６に示すように、本実施形態に係るｅＭＢＭＳのアーキテクチャは、中央集権型のアーキテクチャ（Ｃｅｎｔｒａｌｉｚｅｄ  ＭＣＥ  ａｒｃｈｉｔｅｃｔｕｒｅ）である。具体的には、各ｅＮＢ２００は、ＭＣＥ（Ｍｕｌｔｉ−Ｃｅｌｌ／Ｍｕｌｔｉｃａｓｔ  Ｃｏｏｒｄｉｎａｔｉｏｎ  Ｅｎｔｉｔｙ）と接続している。ＭＣＥは、論理エンティティ（Ｌｏｇｉｃａｌ  ｅｎｔｉｔｙ）であり、スタンドアローンの物理エンティティ又は他の物理エンティティに設けられている。本実施形態において、ＭＣＥは、マクロセルを管理するＭｅＮＢ２００に設けられている。
【００５６】
ＭＣＥは、ＭＢＳＦＮエリアを制御する。具体的には、ＭＣＥは、ｅＮＢ２００のＭＢＳＦＮエリアへの参加を承認／拒否したり、ＭＢＭＳＦエリアにおける各ｅＮＢ２００で用いられる無線リソースを割り当てたりする。また、ＭＣＥは、後述するように、ＭＢＳＦＮ参照信号の時間・周波数リソース（以下、ＭＢＳＦＮ参照信号リソース）の量を設定する。
【００５７】
（実施形態に係る動作）
以下において、本実施形態に係る動作について説明する。具体的には、本実施形態に係る動作パターン１〜３を説明する。なお、以下の各動作パターンについて、他の動作パターンと異なる部分を中心に説明し、同様の部分は、説明を適宜省略する。
【００５８】
図７は、本実施形態に係る動作環境を示す図である。図７に示すように、ＭｅＮＢ２００は、マクロセル（Ｍａｃｒｏ  Ｃｅｌｌ）を管理し、複数のｅＮＢ２００（ｅＮＢ２００−１〜２００−３）のそれぞれは、セル（Ｓｍａｌｌ  Ｃｅｌｌ）を管理している。また、複数のｅＮＢ２００のそれぞれは、マクロセル内に設置される。また、マクロセルは、複数のセルのそれぞれと重複している。
【００５９】
複数のセル（ｅＮＢ２００）のそれぞれは、ＭＢＳＦＮ参照信号を送信する。複数のセルによりＭＢＳＦＮエリアが構成される。ＭｅＮＢ２００には、ＭＣＥが設けられており、複数のセルにより構成されるＭＢＳＦＮエリアを制御する。ＵＥ１００は、複数のセルのいずれかのセルに在圏している。
【００６０】
（１）動作パターン１
動作パターン１について、図８から図１０を用いて説明する。図８は、本実施形態に係る動作パターン１を説明するためのシーケンス図である。図９は、本実施形態に係るＭＢＳＦＮ参照信号リソース量を決定するためのフローチャートである。図１０は、ＭＢＳＦＮ参照信号の無線リソースの一例を説明するための説明図である。
【００６１】
動作パターン１は、新しく設置されたｅＮＢ２００−２が、他のｅＮＢ２００−１（及びｅＮＢ２００−３）とＭＢＳＦＮエリアを構成するケースにおける動作パターンである。なお、ｅＮＢ２００−３の動作は、ｅＮＢ２００−１と同様の動作であるため、説明を省略する。
【００６２】
なお、ｅＮＢ２００−１が管理するセルにＵＥ１００−１が在圏し、ｅＮＢ２００−２が管理するセルにＵＥ１００−２が在圏すると仮定して説明を進める。
【００６３】
図８に示すように、ステップＳ１０１において、新しく設置されたｅＮＢ２００−２は、セルの運用を開始したことをトリガとして、カバレッジサイズに関するカバレッジ情報をＭｅＮＢ２００に送信する。ｅＮＢ２００−２は、設置された後でセルの運用を開始する前に、ＭｅＮＢ２００と通信を行うタイミングで、カバレッジ情報をＭｅＮＢ２００に送信してもよい。
【００６４】
本実施形態において、カバレッジ情報は、例えば、セルの半径を示す半径情報及び当該セルの識別子（Ｃｅｌｌ  ＩＤ）を含む。半径情報は、例えば、セルの送信電力を示す送信電力情報である。
【００６５】
カバレッジ情報は、セルが属する周波数の高さを示す周波数情報をオプション情報として含んでもよい。周波数情報は、例えば、セルの周波数帯（８００ＭＨｚ帯、２ＧＨｚ帯など）を示す情報である。
【００６６】
ステップＳ１０２において、ＭｅＮＢ２００は、カバレッジ情報に基づいて、ＭＢＳＦＮ参照信号リソース量を設定する。具体的には、ＭＢＳＦＮ参照信号リソース量を、以下のように設定する。
【００６７】
図９に示すように、ステップＳ２０１において、ＭｅＮＢ２００は、ｅＮＢ２００−２からのカバレッジ情報（半径情報Ｒｘ）に基づいて、ｅＮＢ２００−２のセルのカバレッジサイズを算出する。
【００６８】
次に、ＭｅＮＢ２００は、ＭＢＳＦＮエリアを構成する複数のセルのカバレッジサイズうち、最大のカバレッジサイズを算出する。
【００６９】
ステップＳ２０２において、ＭｅＮＢ２００は、最大のカバレッジサイズ（ｍａｘ（Ｒｘ））と閾値とを比較する。ＭｅＮＢ２００は、最大のカバレッジサイズが閾値未満である場合、ステップＳ２０３の処理を実行し、そうでない場合、カバレッジ情報の受信するための待機を行う。
【００７０】
ここで、閾値は、遅延分散に応じて決定される値である。例えば、閾値は、遅延分散に基づく信号品質の劣化が所定値未満となるように決定される。
【００７１】
ステップＳ２０３において、ＭｅＮＢ２００は、周波数方向におけるＭＢＳＦＮ参照信号リソース量を変更（設定）する。
【００７２】
具体的には、ＭｅＮＢ２００は、図１０（ａ）に示す周波数方向におけるＭＢＳＦＮ参照信号リソースの量を標準のリソース量として設定している。この標準のリソース量は、通常のセル参照信号（ＣＲＳ）に用いられる無線リソース量と比較して多い値である。ＭｅＮＢ２００は、最大のカバレッジサイズが閾値以上である場合に、この標準のリソース量を設定する。ＭｅＮＢ２００は、例えば、ＭｅＮＢ２００は、周波数方向におけるリソースブロック（ＲＢ）の間隔が１５ｋＨｚになるように、ＭＢＳＦＮ参照信号リソース量を設定している。
【００７３】
ステップＳ２０３では、最大のカバレッジサイズが閾値未満であるため、ＭｅＮＢ２００は、図１０（ｂ）に示すように、ＭＢＳＦＮ参照信号リソース量を標準のリソース量よりも少ない量に変更（設定）する。なお、図１０（ｂ）における斜線で示されたリソースブロックが、図１０（ａ）のＭＢＳＦＮ参照信号リソースから削減された無線リソースである。
【００７４】
なお、カバレッジ情報が周波数情報を含む場合、周波数情報に応じて、ＭＢＳＦＮ参照信号リソース量を調整してもよい。具体的には、セルが属する周波数帯が低いほど、遅延分散が大きくなるため、周波数情報が示す周波数の高さが閾値未満である場合（すなわち、低い周波数帯のセルである場合）、ＭＢＳＦＮ参照信号リソース量を多く設定（調整）してもよい。一方、周波数情報が示す周波数の高さが閾値以上である場合（すなわち、高い周波数帯のセルである場合）、ＭＢＳＦＮ参照信号リソース量を少なく設定（調整）してもよい。
【００７５】
図８の説明に戻る。上述のようにして、ＭｅＮＢ２００が、ＭＢＳＦＮ参照信号リソース量を設定することによって、ＭＢＳＦＮ参照信号リソースの配置パターンが決定される。ＭＢＳＦＮ参照信号リソース量によって１つの配置パターンに決定されてもよいし、ＭｅＮＢ２００が、ＭＢＳＦＮ参照信号リソース量に対応した複数の配置パターンの中から、１つの配置パターンを決定してもよい。決定された配置パターンは、同一のＭＢＳＦＮエリアを構成するセルで共通に適用される。
【００７６】
ステップＳ１０３において、ＭｅＮＢ２００は、ｅＮＢ２００−２から受信したカバレッジ情報を保存（登録）する。カバレッジ情報は、セル毎に保存される。
【００７７】
ステップＳ１０４において、ＭｅＮＢ２００は、ＭＢＳＦＮ参照信号リソース量を変更する場合、ＭＢＳＦＮ参照信号リソース量の変更に関する変更情報を各ｅＮＢ２００に通知する。ＭｅＮＢ２００は、例えば、Ｘ２インターフェイス（Ｘ２メッセージフォーマット）を用いて、変更情報を通知する。
【００７８】
変更情報は、変更後のＭＢＳＦＮ参照信号リソースの配置パターンを示す情報であり、具体的には、当該配置パターンそのものの情報であってもよいし、当該配置パターンを示すパラメータであってもよい。或いは、ＭＢＳＦＮ参照信号リソース量（ＭＢＳＦＮ参照信号リソースの配置パターン）を変更したことを示す情報であってもよい。この場合において、２つのＭＢＳＦＮ参照信号リソースの配置パターンを記憶しているｅＮＢ２００は、適用されている配置パターンと異なる配置パターンに変更する。
【００７９】
また、変更情報は、ｅＮＢ２００が配置パターンを適用するタイミングを示す情報を含んでもよい。これにより、複数のｅＮＢ２００は、同一のタイミングで配置パターンを変更することができる。
【００８０】
ＭｅＮＢ２００から変更情報を受信した各ｅＮＢ２００は、変更情報に基づいて、ＭＢＳＦＮ参照信号リソースの配置パターンを変更（適用）する。
【００８１】
ステップＳ１０５において、各ｅＮＢ２００は、上述の変更情報をＵＥ１００にブロードキャスト又はユニキャストで送信する。例えば、ｅＮＢ２００は、ＳＩＢ１３のメッセージフォーマットを用いてブロードキャストで変更情報を送信する。
【００８２】
ＵＥ１００は、ｅＮＢ２００から受信した変更情報に基づいて、ＭＢＳＦＮ参照信号リソースを受信するための設定を行う。
【００８３】
その後、各ｅＮＢ２００は、変更したＭＢＳＦＮ参照信号リソースの配置パターンに応じて、ＭＢＳＦＮ参照信号を送信する。ＵＥ１００は、変更した設定に基づいて、ＭＢＳＦＮ参照信号を受信する。
【００８４】
なお、各ｅＮＢ２００は、ＭＢＳＦＮ参照信号リソース量を少なく設定したことによって、余った無線リソースを、ＭＢＭＳ用のユーザデータ及び／又は制御データを送信するために用いることができる。
【００８５】
（２）動作パターン２
次に、動作パターン２について、図１１を用いて説明する。図１１は、本実施形態に係る動作パターン２を説明するためのシーケンス図である。
【００８６】
動作パターン１では、ｅＮＢ２００−２がセルの運用を開始したことをトリガとして、ＭｅＮＢ２００に送信していた。動作パターン２では、ｅＮＢ２００が、ＭｅＮＢ２００からの要求に応じて、カバレッジ情報を送信する。
【００８７】
図１１に示すように、ステップＳ３０１において、ＭｅＮＢ２００は、ＭＢＳＦＮエリアを構成する各ｅＮＢ２００にカバレッジ情報の要求（半径情報要求）を行う。ＭｅＮＢ２００は、ｅＮＢ２００が設置されたこと、或いは、ｅＮＢ２００がセルの運用を開始したことを知った場合に、半径情報要求を行うことができる。ＭｅＮＢ２００は、所定の周期で、半径情報要求を行ってもよい。
【００８８】
ステップＳ３０２において、ｅＮＢ２００は、半径情報要求に応じて、カバレッジ情報をＭｅＮＢ２００に送信する。
【００８９】
ステップＳ３０３〜Ｓ３０６は、ステップＳ１０２〜Ｓ１０５に対応する。
【００９０】
（３）動作パターン３
次に、動作パターン３について、図１２を用いて説明する。図１２は、本実施形態に係る動作パターン３を説明するためのシーケンス図である。
【００９１】
動作パターン１では、カバレッジ情報を送信する送信元が、ｅＮＢ２００であった。動作パターン３では、カバレッジ情報を送信する送信元が、ＵＥ１００である。
【００９２】
図１２に示すように、ステップＳ４０１において、ＭｅＮＢ２００は、ＭＢＳＦＮエリアを構成する各ｅＮＢ２００に対して、リクエスト送信要求を送信する。リクエスト送信要求は、ＵＥ１００からのカバレッジ情報の送信の要求するものである。ＭｅＮＢ２００は、半径情報要求と同様のタイミングで、リクエスト送信要求を行うことができる。
【００９３】
ステップＳ４０２において、各ｅＮＢ２００は、リクエスト送信要求の受信に応じて、カバレッジ情報の要求（半径情報要求）を自セルに在圏するＵＥ１００に行う。
【００９４】
ステップＳ４０３において、各ＵＥ１００は、半径情報要求の受信に応じて、カバレッジ情報をｅＮＢ２００に通知（送信）する。
【００９５】
本実施形態において、カバレッジ情報は、ＵＥ１００の送信タイミングを調整するためのタイミング情報である。ＵＥ１００は、タイミング情報をｅＮＢ２００に接続する際に取得する。具体的には、ＵＥ１００−１は、ｅＮＢ２００−１との接続を確立するためのランダムアクセス手順（ＲＡＣＨプロセス）を行うことによって、タイミング情報であるタイミングアドバンス（ＴＡ）をｅＮＢ２００−１から取得する。
【００９６】
ｅＮＢ２００−１は、ＵＥ１００−１からのカバレッジ情報を受信し、ｅＮＢ２００−２は、ＵＥ１００−２からのカバレッジ情報を受信する。各ｅＮＢ２００は、受信したカバレッジ情報を保持する。
【００９７】
ステップＳ４０４において、ＭｅＮＢ２００は、ステップＳ３０１と同様に、各ｅＮＢ２００にカバレッジ情報の要求（半径情報要求）を行う。本実施形態において、各ｅＮＢ２００は、ＭｅＮＢ２００から半径情報要求を受信するまで、ＵＥ１００からのカバレッジ情報をＭｅＮＢ２００に送信せずに保持しておく。
【００９８】
ステップＳ４０５〜Ｓ４０９は、ステップＳ３０２〜Ｓ３０６に対応する。なお、Ｓ４０６において、ＭｅＮＢ２００は、上述の動作パターン１のＳ１０２と同様に、最大のタイミングアドバンスが閾値を以上であるか否かによって、ＭＢＳＦＮ参照信号リソース量を設定することができる。
【００９９】
（実施形態のまとめ）
周波数方向における無線リソースの量が多いほど、遅延分散に基づく信号品質の劣化を低減することができる。一方、遅延分散は、通信距離（通信半径）に比例して大きくなるため、カバレッジサイズが小さい、すなわち、セルの通信距離が小さい場合、遅延分散が小さいため、遅延分散に基づいて信号品質が劣化しない。
【０１００】
本実施形態において、ＭｅＮＢ２００（ＭＣＥ）は、複数のセルのそれぞれのカバレッジサイズに関するカバレッジ情報に基づいて、周波数方向におけるＭＢＳＦＮ参照信号リソース量を設定する。これにより、ＭｅＮＢ２００は、セルの通信距離に基づいて、適切にＭＢＳＦＮ参照信号リソース量を設定できるため、遅延分散に基づく信号品質の劣化を低減することができる。また、ＭＢＳＦＮ参照信号のための無線リソースとして用いなかった無線リソースは、例えば、ＭＢＭＳ用のユーザデータ及び／又は制御データを送信するために用いることができるため、無線リソースを効率良く利用することができる。
【０１０１】
本実施形態において、ＭｅＮＢ２００は、カバレッジ情報が示すカバレッジサイズが閾値未満である場合に、カバレッジサイズが閾値以上である場合に比べて、ＭＢＳＦＮ参照信号リソース量を少なく設定できる。これにより、カバレッジサイズが閾値未満である場合、遅延分散に基づいて信号品質が劣化しないため、遅延分散に基づいて信号品質が劣化する場合に比べて、ＭＢＳＦＮ参照信号リソース量を少なく設定することができる。その結果、無線リソースを効率良く利用することができる。
【０１０２】
本実施形態において、ＭｅＮＢ２００は、複数のセルのぞれぞれのカバレッジサイズのうち最大のカバレッジサイズが閾値未満である場合に、最大のカバレッジサイズが閾値未満である場合に、最大のカバレッジサイズが閾値以上である場合に比べて、ＭＢＳＦＮ参照信号リソース量を少なく設定することができる。これにより、ＭｅＮＢ２００は、最大のカバレッジサイズが閾値未満であれば、他のカバレッジサイズも閾値未満であるため、ＭＢＳＦＮ参照信号リソース量を設定するための処理を簡略化することができる。
【０１０３】
本実施形態において、カバレッジ情報は、周波数情報を含む。ＭｅＮＢ２００は、周波数情報が示す周波数の高さが閾値以上である場合に、周波数情報が示す周波数の高さが閾値未満である場合に比べて、ＭＢＳＦＮ参照信号リソース量を少なく設定することができる。これにより、周波数が低いほど遅延分散が大きくなるため、周波数の高さに基づいて、適切にＭＢＳＦＮ参照信号リソース量を設定できるため、遅延分散に基づく信号品質の劣化を低減しつつ、無線リソースを効率良く利用することができる。
【０１０４】
本実施形態において、ｅＮＢ２００は、セルの運用を開始したことをトリガとして、カバレッジ情報をＭｅＮＢ２００に送信することを特徴とする。これにより、ＭｅＮＢ２００は、ＭＢＳＦＮエリアに新たなセルが参加した場合であっても、ＭＢＳＦＮ参照信号リソース量を適切に設定することができる。
【０１０５】
本実施形態において、ｅＮＢ２００は、ＭｅＮＢ２００からの第１の要求（リクエスト送信要求）の受信に応じて、ＵＥ１００に半径情報要求を送信する。ＵＥ１００は、半径情報要求の受信に応じて、カバレッジ情報をｅＮＢ２００に送信する。これにより、ＭｅＮＢ２００は、カバレッジ情報が必要な場合に、当該要求を行うことによって、ｅＮＢ２００からの不必要なシグナリングを減らすことができる。
【０１０６】
本実施形態において、ｅＮＢ２００は、ＭｅＮＢ２００からの第２の要求（半径情報要求）に応じてカバレッジ情報をＭｅＮＢ２００に送信する。これにより、ＭｅＮＢ２００は、カバレッジ情報が必要な場合に、当該要求を行うことによって、ｅＮＢ２００からの不必要なシグナリングを減らすことができる。
【０１０７】
本実施形態において、ｅＮＢ２００は、自セルの送信電力を示す情報をカバレッジ情報としてＭｅＮＢ２００に送信する。これにより、セルの送信電力によって、セルの通信距離を推定することができるため、ＭｅＮＢ２００は、セルの送信電力に基づいて、適切にＭＢＳＦＮ参照信号リソース量を設定できる。
【０１０８】
本実施形態において、ｅＮＢ２００は、ＵＥ１００からカバレッジ情報を受信し、受信したカバレッジ情報をＭｅＮＢ２００に送信する。これにより、ＵＥ１００からカバレッジ情報に基づいて、セルの通信距離を推定することができるため、ＭｅＮＢ２００は、実際の通信環境に基づいて、適切にＭＢＳＦＮ参照信号リソース量を設定できる。
【０１０９】
本実施形態において、ｅＮＢ２００は、ＭｅＮＢ２００からの要求に応じて、ＵＥ１００からのカバレッジ情報をＭｅＮＢ２００に送信する。これにより、ＭｅＮＢ２００は、カバレッジ情報が必要な場合に、当該要求を行うことによって、ｅＮＢ２００からの不必要なシグナリングを減らすことができる。
【０１１０】
本実施形態において、ＵＥ１００は、ｅＮＢ２００と接続する際に取得したタイミング情報を、カバレッジ情報としてｅＮＢ２００に送信する。これにより、タイミングアドバンスに基づいて、セルの通信距離を推定することができるため、ＭｅＮＢ２００は、実際の通信環境に基づいて、適切にＭＢＳＦＮ参照信号リソース量を設定できる。
【０１１１】
本実施形態において、ＭｅＮＢ２００は、ＭＢＳＦＮ参照信号リソース量を変更する場合、各ｅＮＢ２００に対して、変更情報を通知する。これにより、ＭＢＳＦＮエリアを構成する各ｅＮＢ２００は、変更情報に基づいて、ＭＢＳＦＮ参照信号リソースの配置パターンを知ることができるため、適切なＭＢＳＦＮ参照信号リソース量で、ＭＢＳＦＮ参照信号を送信することができる。
【０１１２】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１１３】
上述した実施形態において、ＭｅＮＢ２００は、最大のカバレッジサイズと閾値とを比較して、ＭＢＳＦＮ参照信号リソース量を設定したが、これに限られない。最大のカバレッジを算出せずに、各セルのカバレッジサイズと閾値とを比較して、ＭＢＳＦＮ参照信号リソース量を設定してもよい。ＭｅＮＢ２００は、ＭＢＳＦＮエリアを構成する複数のセルのうち少なくともいずれかのセルが閾値を超えた場合、ＭＢＳＦＮ参照信号リソースの量を標準のリソース量を設定する。従って、ＭｅＮＢ２００は、ＭＢＳＦＮエリアを構成する複数のセルのうち全てのセルが閾値を超えた場合、ＭＢＳＦＮ参照信号リソースの量を標準のリソース量よりも少なく設定する。
【０１１４】
或いは、ＭｅＮＢ２００は、既知のカバレッジ情報が示すカバレッジサイズと閾値とを再比較せずに、新たに受信したカバレッジ情報が示すカバレッジサイズと閾値とを比較して、設定されたＭＢＳＦＮ参照信号リソース量を変更するか否かを判定してもよい。
【０１１５】
また、ＭｅＮＢ２００は、周波数方向におけるＭＢＳＦＮ参照信号リソース量を変更していたが、時間方向におけるＭＢＳＦＮ参照信号リソース量を変更してもよい。
【０１１６】
また、ＭｅＮＢ２００は、最大のカバレッジサイズに応じて、周波数方向におけるＭＢＳＦＮ参照信号リソース量を設定してもよい。具体的には、最大のカバレッジサイズが大きいほど、周波数方向におけるＭＢＳＦＮ参照信号リソース量が多くなるように設定してもよい。
【０１１７】
上述した実施形態では、ｅＮＢ２００が、ＵＥ１００に変更情報を送信していたが、これに限られない。ＭＣＥが設けられるＭｅＮＢ２００は、ＭＢＳＦＮエリアを構成する複数のセルのそれぞれと重複するマクロセルを管理する場合、変更情報をＵＥ１００にブロードキャストで通知してもよい。これにより、ｅＮＢ２００からＵＥ１００に変更情報を送信する処理を省略することができるため、ＭＢＳＦＮ参照信号リソース量を迅速に変更することができる。
【０１１８】
なお、ＭｅＮＢ２００は、例えば、ＳＩＢ１３のメッセージフォーマットを用いてブロードキャストで変更情報を送信できる。
【０１１９】
上述した実施形態では、ＭＣＥは、ＭｅＮＢ２００に設けられていたが、これに限られない。ＭＣＥは、ｅＮＢではないスタンドアローンのネットワーク装置（例えば、管理サーバ）に設けられてもよい。この場合、ＭＣＥは、Ｍ２インターフェイス（Ｍ２メッセージフォーマット）を用いて、ｅＮＢ２００に変更情報を通知する。
【０１２０】
また、上述した実施形態の動作パターン１において、ｅＮＢ２００−２は、自セルがＭＢＳＦＮエリアに参加する場合に、カバレッジ情報をＭｅＮＢ２００（ＭＣＥ）に送信してもよい。
【０１２１】
また、上述した実施形態の動作パターン３において、タイミング情報は、ＵＥ１００から受信した情報であったが、これに限られない。ｅＮＢ２００は、ランダムアクセス手順の際に、ＵＥ１００に送信したタイミングアドバンスを保持しておき、例えば、ＭｅＮＢ２００からの要求に応じて、保持していたタイミングアドバンスをカバレッジ情報としてＭｅＮＢ２００に送信してもよい。
【０１２２】
また、上述した実施形態において、カバレッジ情報は、例えば、ｅＮＢ２００とＵＥ１００との間のパスロスに基づいて算出されてもよい。ＵＥ１００からの送信電力とｅＮＢ２００の受信電力との差に基づいてパスロス（カバレッジ情報）を算出してもよい。
【０１２３】
或いは、ＵＥ１００は、ｅＮＢ２００にハンドオーバした際の位置情報をカバレッジ情報として、ｅＮＢ２００に送信してもよい。ｅＮＢ２００は、ｅＮＢ２００の位置とＵＥ１００がｅＮＢ２００にハンドオーバした際の位置との距離に基づいて、カバレッジ情報を算出してもよい。
【０１２４】
また、カバレッジ情報は、複数のセルのそれぞれの種別（マクロセル、スモールセル、ピコセルなど）であってもよい。ＭＣＥは、例えば、複数のセルにマクロセルが含まれる場合、ＭＢＳＦＮ参照信号リソースの量を標準のリソース量を設定することができる。
【０１２５】
また、カバレッジ情報は、ＭＢＭＳサービスを利用するＵＥ１００からのＭＢＭＳサービスの受信状況（受信品質）であってもよい。ＵＥ１００は、ＭＢＭＳサービスの受信品質が悪い場合、ＭＢＭＳサービスの受信品質が悪いことを示す品質情報と、ＭＢＭＳサービスの受信品質が悪い時のＵＥ１００の位置情報とを含むカバレッジ情報を、ｅＮＢ２００に通知する。ＭＣＥは、当該カバレッジ情報に基づいて、ＭＢＳＦＮ参照信号リソース量を多く設定することができる。
【０１２６】
なお、ＵＥ１００は、品質情報及び位置情報に加えて、ＭＢＭＳＦＮエリアを構成するｅＮＢ２００からＳＩＢによって取得したＭＢＭＳＦＮエリアインデックスをさらに含むカバレッジ情報を送信してもよい。
【０１２７】
また、カバレッジ情報は、ＭＢＭＳＦＮエリアを構成する複数のセルの少なくともいずれかのセルを形成するアンテナに関するアンテナ情報をオプション情報として含んでもよい。アンテナ情報は、アンテナの高さを示す情報、アンテナの角度（チルト角）を示す情報などである。例えば、アンテナの高さに応じて閾値が小さくなるように、カバレッジサイズと比較される閾値が調整されてもよい。
【０１２８】
また、上述した実施形態において、ＭＣＥは、上述した複数種類のカバレッジ情報に基づいて、ＭＢＳＦＮ参照信号リソース量を設定してもよい。
【０１２９】
上述した実施形態では、本発明をＬＴＥシステムに適用するケースを主として説明したが、ＬＴＥシステムに限定されるものではなく、ＬＴＥシステム以外のシステムに本発明を適用してもよい。
【符号の説明】
【０１３０】
１０…Ｅ−ＵＴＲＡＮ、  ２０…ＥＰＣ、  １００，１００−１，１００−２，１００−３…ＵＥ（ユーザ端末）、  １０１…アンテナ、  １１０…無線送受信機、  １２０…ユーザインターフェイス、  １３０…ＧＮＳＳ受信機、  １４０…バッテリ、  １５０…メモリ、  １６０，１６０’…プロセッサ、  ２００，２００−１，２００−２，２００−３…ｅＮＢ（無線基地局）、  ２０１…アンテナ、  ２１０…無線送受信機、  ２２０…ネットワークインターフェイス、  ２３０…メモリ、  ２４０，２４０’…プロセッサ、  ３００…ＭＭＥ／Ｓ−ＧＷ
【図１】
2015159380.tif 000003
【図２】
2015159380.tif 000004
【図３】
2015159380.tif 000005
【図４】
2015159380.tif 000006
【図５】
2015159380.tif 000007
【図６】
2015159380.tif 000008
【図７】
2015159380.tif 000009
【図８】
2015159380.tif 000010
【図９】
2015159380.tif 000011
【図１０】
2015159380.tif 000012
【図１１】
2015159380.tif 000013
【図１２】
2015159380.tif 000014